【手続補正書】
【提出日】平成18年11月13日(2006.11.13)
【手続補正１】
【補正対象書類名】特許請求の範囲
【補正対象項目名】請求項１
【補正方法】変更
【補正の内容】
【請求項１】
感温磁性流体を起こすためにマイクロ波又はミリ波を感温磁性のある液体に直接照射し、加熱し、水によって冷却することによって生じる温度差から感温磁性流体を作り、感温磁性流体のエネルギーを利用し、浮体を回転させ、浮体の回転エネルギーから起動、発電エネルギーを得る開発技術。
密閉されたドラム状の躯体の中に感温磁性のある液体並びに浮体を入れ、浮体が回転軸を中心に回転できる構造を維持し、ドラム状の躯体の内部と浮体との間に流体が生じる一定の間隔を構造におき、躯体の外部に浮体の回転の同一円周上の頂点に沿って永久磁石を設置し、浮体の内部には回転半径の頂点の裏側に永久磁石を設置し、躯体と浮体の永久磁石の磁力作用をいかす。
躯体全体を冷却槽の中に入れ、感温磁性の液体を加熱と冷却を繰り返すことよる温度格差によって生じる磁力差から永久磁石の設置場所に沿って感温磁性流体が生じる。浮体は一定の回転軸を中心に回転できる構造を作り、感温磁性流体のエネルギーによって浮体を回転させ、その回転エネルギーを回転軸から水槽の外部に取り出し、起動機器、発電機に直結させる。
感温磁性の液体の加熱には躯体の外部から、永久磁石の設置場所に沿って、石英ガラスの窓を通し、マイクロ波又はミリ波をマグネトロンから導波管よって誘導し、直接照射し、加熱させる。冷却は感温磁性の液体が入っている躯体全体を外部から水等によって冷却する方法。
【手続補正２】
【補正対象書類名】特許請求の範囲
【補正対象項目名】請求項２
【補正方法】変更
【補正の内容】
【請求項２】
感温磁性素材の特長として、異なった磁化特性の素材を混層されると、磁化特性の高い素材ほどマイクロ波又はミリ波の吸収率が高く、マイクロ波又はミリ波の照射による温度上昇が早い。反対に磁化特性の低い素材はマイクロ波又はミリ波の照射による吸収は遅く、温度の上昇も遅い。共にキュリー温度を超えるとマイクロ波又はミリ波の吸収は低下し、マイクロ波又はミリ波を照射しても、キュリー温度以上の上昇は見られない。磁化特性も低下する。
感温磁性の液体は温度の上昇に伴い、磁束密度は低下する。磁束密度の高い素材と、低い素材の感温磁性液体を混層させマイクロ波又はミリ波を照射すると磁化特性の高い素材は早い温度上昇が見られ、温度上昇に伴い磁性が低下する。反対に磁化特性の低い感温磁性素材は温度の上昇が少なく、磁性の変化が少ない。磁化特性の違う感温磁性の液体を混層し、マイクロ波又はミリ波を照射すると、異なった温度変化が生じ、感温磁性の液体の温度と磁化特性の違いから感温磁性の磁束密度の高い液体は、早い温度上昇によって磁化特性が低下し、磁力の逆転現象が生じる。
感温磁性流体のエネルギーを大きくするために、数種類の性質の違った感温磁性ある液体を入れ、マイクロ波又はミリ波を照射すると感温磁性の素材格差から温度差が生じ、温度格差から生じる磁力格差が永久磁石に対して反応する。感温磁性素材の温度格差から生じる磁力格差の種類から複数の感温磁性流体が生じ、エネルギーは増大する。温度格差のある複数の感温磁性流体から混層流体が生じ、エネルギーが大きくなる。感温磁性の液体の性質の選択は一定温度下の飽和磁化係数の違う素材、粘度、密度の違い、及び一定時間にマイクロ波又はミリ波の照射による発熱温度の違いがある素材を選択する。
同一条件下で感温磁性体の素材にそれぞれに温度格差が生じ、粘度差、密度差から永久磁石に沿って感温磁性流体と混層流体のエネルギーが重なり大きなエネルギーに転換出来る。
請求項１の躯体の内部においてこの現象を起こすことによって浮体は連続した回転運動を起こす。
初期起動のためにはマイクロ波又はミリ波を照射するエネルギーは必要であるが、起動が始まると感温磁性流体によって生じる温度格差のある粒子同士の摩擦熱によって発熱し、一定期間温度を維持している。マイクロ波、又はミリ波は連続した照射の必要性が無く起動後は自己発電によるエネルギーによって起動し、連続した運転エネルギーが得られ、完全なクリーンエネルギーが得られる。
２種類以上の感温磁性素材を配合し、混層させマイクロ波又はミリ波を照射し、感温磁性流体のエネルギーと混層流体によるエネルギーを利用し浮体を回転させ起動機器及び発電エネルギーに転換する方法。
【手続補正３】
【補正対象書類名】特許請求の範囲
【補正対象項目名】請求項３
【補正方法】変更
【補正の内容】
【請求項３】
感温磁性流体は感温磁性の素材の温度変化が、加熱から冷却、冷却から加熱と早い温度変化が生じると磁性特性も温度変化と共に変わり、感温磁性流体が激しくなり、エネルギーは大きくなる。感温磁性の液体は粘性が強く、密度が高い、一定の高温になると比熱が大きく、外部からの冷却には大量の冷却水が必用になる。一定の比率で水を配合し、入れると加熱、冷却の変化がスムーズに可能になる。水は感温磁性の液体よりも比熱が小さく、冷却時間が短縮され、適量の水を配合すると数種類の感温磁性の液体間の分散剤と潤滑剤の役割を持ち、躯体全体を冷却している冷却槽から冷却効果が速まり、感温磁性流体のエネルギーが高まる。
感温磁性の液体及び配合された水の温度が上昇すると膨張し、躯体の内部の圧力が上昇する。躯体内部の温度が１００℃近くにになると水の一部は気化し、躯体内が加圧状態になり混層流体が生じ、エネルギー効率は増加する。
水の配合比率が感温磁性流体の比率よりも多く入れて、浮体を回転させると感温磁性の液体が水の中に分散する。感温磁性の素材のキュリー温度が１００℃以上の場合マイクロ波、又はミリ波を直接照射すると一気に高温になり、温度制御が困難になる。水の配合によって、水が蒸気化するまでは感温磁性素材の温度は１００℃を維持しており、一定の温度制御機能として利用できる。
感温磁性流体のなかに水を配合することから、早い温度変化によるエネルギー効率を高め、温度制御機能を保持させる方法。
【手続補正４】
【補正対象書類名】特許請求の範囲
【補正対象項目名】請求項４
【補正方法】変更
【補正の内容】
【請求項４】
請求項３の冷却、加熱が敏速に変化するために躯体上部から取り出し冷却槽に循環させ、熱伝導率の高い金属の配管によるラジエターを設置する。高温に加熱された水を躯体の外部にラジエターによって取り出し、加熱された水をラジエター内部で循環させ冷却し、躯体の中に戻す、冷却された水は感温磁性素材と混合し、スムーズに温感磁性の液体を冷却し磁性の復活を補助する。永久磁石に沿って感温磁性流体を繰り返す。
躯体にラジエターを設置し冷却槽を循環させ感温磁性流体を冷却する方法。
【手続補正５】
【補正対象書類名】特許請求の範囲
【補正対象項目名】請求項５
【補正方法】変更
【補正の内容】
【請求項５】
躯体の内部に設置した、浮体の回転によって生じるエネルギーは浮体の回転半径が大きいほど大きくなる。又浮体の回転トルクが大きいほどエネルギーは大きくなる。
浮体の回転半径の頂点に常に大きなトルクが加圧されるとエネルギーは大きくなり、この位置に感温磁性流体が集積する構造を作るとエネルギーは大きくなる。永久磁石の設置する場所とマイクロ波又はミリ波を照射する場所は浮体の回転半径の頂点に沿って躯体外部に設置する。浮体内部に設置する永久磁石も同一円周上に設置する。
浮体の回転半径の外周に沿って数種類の角度の違った複数の種類のフィンを設置し、感温磁性流体を受け、対流を作りフィンとフィンの間を加圧させながら感温磁性流体が通過させると推進エネルギーが生じ、浮体を回転させエネルギー効果は増大する。フィンの角度は感温磁性流体が浮体の頂点に集まるように設ける。
浮体の回転に沿って躯体の内部にも一定間隔で流体変化を作るフィンを設置すると浮体のフィンに加圧され、新たな浮体への推進エネルギーが得られエネルギーは増大する。
感温磁性流体に多種類のフィンによって流体の変化を与え、加圧し浮体に推進エネルギーを得る方法。
【手続補正６】
【補正対象書類名】特許請求の範囲
【補正対象項目名】請求項６
【補正方法】変更
【補正の内容】
【請求項６】
感温磁性の液体は密度が高く、温度が高くなると感温磁性素材の磁化特性が低下し躯体の底や回転軸に沿って沈殿する。
請求項４のラジエターから循環した冷却水は浮体の回転軸に隣接した場所に設置し、浮体の側面には回転軸から浮体の頂点に沿ってフィンを設置し冷却水を満遍なく、躯体の外周部に循環させことから均一に感温磁性の液体を冷却させ、磁性の回復を安定させる。又ラジエターの循環効率を上げることが出来る。
感温磁性の液体全体が効率よく磁場の回復が得られることから効率よくエネルギーが得られる。
浮体の側面にフィンを設け水の循環効率を上げる方法。
【手続補正７】
【補正対象書類名】特許請求の範囲
【補正対象項目名】請求項７
【補正方法】変更
【補正の内容】
【請求項７】
感温磁性の液体を加熱するマイクロ波又はミリ波を照射する場所は永久磁石と共に一定の間隔によって複数設置すると加熱並びに冷却の一定のサイクルが生じ、感温磁性流体の安定したエネルギーが得られる。
浮体の回転半径の大きさによって複数の永久磁石及びマイクロ波又はミリ波の照射位置を設置し起動又は発電を起こす方法。
【手続補正８】
【補正対象書類名】特許請求の範囲
【補正対象項目名】請求項８
【補正方法】変更
【補正の内容】
【請求項８】
感温磁性流体に利用する素材、フェライトなどは一定のキュリー温度Ｔｃが存在する。フェライトのキュリー温度の高さが３００℃以上の素材は短期間にキュリー温度まで上昇し、冷却に多くのエネルギーが必要になる。低温帯下の０〜１５０℃の範囲で飽和磁性係数が高い素材や加熱、冷却が繰り返される最適温度下の２０〜１００℃の磁性変化が大きい素材は、温度格差から生じる磁性の格差が大きく、感温磁性流体のエネルギーが大きくなる。感温磁性の素材はキュリー温度の近似点になると一気に比熱が高くなり、混層している水の気化が早まる。躯体内部の水の全てが気化すると躯体内部が加圧され危険性が増す。
マイクロ波又はミリ波を照射するときの温度コントロールはＯＮ、ＯＦＦではなく出力によって温度制御をすることが望ましく、キュリー温度の高い素材ほど、急速度に温度上昇があり、出力の調整機能によって温度コントロールが欠かせない。出力のコントロール出来ないときの感温磁性の液体として使用する磁性素材のキュリー温度の適性範囲を７０〜３００℃で選択する方法。
【手続補正９】
【補正対象書類名】特許請求の範囲
【補正対象項目名】請求項９
【補正方法】変更
【補正の内容】
【請求項９】
感温磁性のある素材は水よりも密度が高く、浮体の回転から得られる浮力のエネルギーには、浮体内部と感温磁性流体の素材の密度格差が多い程エネルギー効率は高くなる。
浮体の内部を密度の低い気体を選択するとエネルギー効果が高くなる方法。
【手続補正１０】
【補正対象書類名】特許請求の範囲
【補正対象項目名】請求項１０
【補正方法】変更
【補正の内容】
【請求項１０】
躯体の内部はマイクロ波又はミリ波を連続に照射すると高温になり、一定の温度制御が必要である。躯体内部の温度を計測するとき熱電対などの金属から温度を計測する機器は磁性の強い雰囲気とマイクロ波又はミリ波の照射によって正確な計測が出来ない。温度を感知する場所が磁性に影響されないセラミックなどの素材で作られているフィバースコープの温度計を躯体の内部に入れ、固定しマイクロ波又はミリ波が照射している周辺の雰囲気を正確に温度計測を行い高温の温度コントロールを行う。又躯体内部で最低温度を維持する場所はラジエターから冷却され、循環されてきた場所であり、その温度格差によって駆動状態が確認し、判断をする。
温度制御に必要な温度計測機器の素材の選択の方法。